(57)【要約】【課題】弁体に装着される弁体側案内部の変形または損傷を抑制する。【解決手段】仕切弁１００は、弁箱１０１と、Ｙ１方向およびＹ２方向に移動する弁体１０４と、弁体１０４に装着される弁体側案内部１１１とを備える。弁体側案内部１１１は、弁体側案内部１１１においてＹ２方向側の端部よりもＹ１方向側の端部に近い位置に形成されており、Ｙ１方向へ移動している弁体１０４からＹ１方向へ向けた外力を受けるように弁体１０４に当接する凸部１１１ｄと、弁体側案内部１１１においてＹ１方向側の端部よりもＹ２方向側の端部に近い位置に形成されており、Ｙ２方向へ移動している弁体１０４からＹ２方向へ向けた外力を受けるように弁体１０４に当接する凸部１１１ｂ・１１１ｃとを備える。【選択図】図８
2014111972.tif 000002
【特許請求の範囲】
【請求項１】
流体を流す流路が内部に形成されている弁箱と、
前記流路の開かれた開状態から前記流路の閉ざされた閉状態へ移行する場合に前記流路を横切る第１方向へ移動し、前記閉状態から前記開状態へ移行する場合に前記第１方向と逆方向の第２方向へ移動する弁体と、
前記弁箱の内部の壁部にて前記移動の方向に伸びるように形成されている凸状または溝状のレールである弁箱側案内部と、
前記弁体に装着されており且つ前記弁体が前記移動の方向に案内されるように前記弁箱側案内部と嵌合する弁体側案内部とを備え、
前記弁体側案内部は、
前記弁体側案内部における第２方向側の端部よりも第１方向側の端部に近い位置に形成されており、第１方向へ移動している前記弁体から第１方向へ向けた外力を受けるように当該弁体に接触する第１受部と、
前記弁体側案内部における第１方向側の端部よりも第２方向側の端部に近い位置に形成されており、第２方向へ移動している前記弁体から第２方向へ向けた外力を受けるように当該弁体に接触する第２受部とを有することを特徴とする仕切弁。
【請求項２】
前記弁体側案内部は、前記弁体との間で遊びのある状態で前記弁体に装着されていることを特徴とする請求項１に記載の仕切弁。
【請求項３】
前記流路の軸に直交する方向であって且つ第１方向にも直交する一方向を第３方向とし、第３方向の逆方向を第４方向とする場合、
前記弁体において第３方向側に最も突出している部分は前記弁体側案内部よりも第３方向側に突出しており、前記弁体において第４方向側に最も突出している部分は前記弁体側案内部よりも第４方向側に突出していることを特徴とする請求項１または２に記載の仕切弁。
【請求項４】
前記弁体側案内部は、前記弁体に形成されている凹状部からなる嵌込溝に嵌め込まれるようになっており、
前記嵌込溝の凹状部は、前記弁体側案内部よりも第２方向に延ばされるように形成されていることを特徴とする請求項１から３のいずれか１項に記載の仕切弁。
【請求項５】
前記弁体側案内部は、前記弁体に形成されている凹状部からなる嵌込溝に嵌め込まれるようになっており、
前記嵌込溝の凹状部は、前記弁体側案内部よりも第１方向に延ばされるように形成されていることを特徴とする請求項１から４のいずれか１項に記載の仕切弁。
【発明の詳細な説明】
【技術分野】
【０００１】
本発明は、流体が流れる配管に接続されており、前記流体の流路を遮断するためのソフトシール仕切弁に関する。
【背景技術】
【０００２】
周知のソフトシール仕切弁（以下「仕切弁」と称す）は、弁箱と、弁箱において流体の流れる方向と直交する方向に進退移動して流路を開閉する弁体と、前記弁体を前記進退移動の方向に案内するための案内部とを備えている。案内部は、弁箱内面において前記進退方向に延びるように形成されている弁箱側案内部（例えばレール）と、弁体に固定または形成されており前記弁箱側案内部と嵌合する弁体側案内部（例えば凹状の溝部）とからなるものである。仕切弁においては、このような案内部を備えることによって前記弁体を前記進退方向に案内（移動）させるようになっている。このような構成の一例が下記の特許文献１の図１〜図３に示されている。具体的には、特許文献１の図１〜図３は、前記の弁箱側案内部として機能する凸状の案内レール４８,５０と、前記の弁体側案内部として機能する凹状のインサート６０,６２とを示している。
【０００３】
また、特許文献１にて示唆されているように、弁箱側案内部が凹状の溝になっており、この溝に弁体側案内部が挿入されることにより弁箱側案内部と弁体側案内部とが嵌合している構成であってもよい。
【０００４】
ところで、弁体、弁箱、および、弁箱側案内部は、鋳物からなるが、弁体側案内部としては樹脂材料が用いられることが多い。これは、部分ゴムライニング式の仕切弁では、弁体側案内部と弁箱側案内部との両方を鋳物とした場合に鋳物同士の摩擦によって塗装が損傷して地金が露出して錆が生じるという不都合が生じるところ、弁体側案内部を樹脂材料とすることによって、このような不都合を抑制できるからである。また、全面ゴムライニング式の仕切弁において、弁体側案内部を樹脂材料とすると、スムーズに弁体を移動させることができるというメリットを有するからである。
【先行技術文献】
【特許文献】
【０００５】
【特許文献１】特開昭６０‐１８６７１号公報
【特許文献２】特許第４５１５９０６号公報
【特許文献３】特公平４−４５７１０号公報
【発明の概要】
【発明が解決しようとする課題】
【０００６】
以上にて示したような仕切弁にて弁体を移動させている間、弁体側案内部は、弁体と接触（係合）している部分から前記移動の方向の外力を受けており、この外力によって弁体に追随するように移動するようになっている。
【０００７】
弁体および弁体側案内部が移動している間、弁体側案内部と弁箱側案内部とが摩擦し、前記移動の方向と逆方向の摩擦力が弁体側案内部に作用する。そして、弁体から受ける外力と前記摩擦力とによって弁体側案内部に圧縮作用が生じて座屈が起こることがあり、弁体側案内部が変形または損傷することがあった。
【０００８】
本発明は、以上の問題に鑑みてなされたものであり、仕切弁において前記の弁体側案内部の変形や損傷を抑制することを目的とする。
【課題を解決するための手段】
【０００９】
上記の課題を解決するために、本発明に係る仕切弁は、流体を流す流路が内部に形成されている弁箱と、前記流路の開かれた開状態から前記流路の閉ざされた閉状態へ移行する場合に前記流路を横切る第１方向へ移動し、前記閉状態から前記開状態へ移行する場合に前記第１方向と逆方向の第２方向へ移動する弁体と、前記弁箱の内部の壁部にて前記移動の方向に伸びるように形成されている凸状または溝状のレールである弁箱側案内部と、前記弁体に装着されており且つ前記弁体が前記移動の方向に案内されるように前記弁箱側案内部と嵌合する弁体側案内部とを備え、前記弁体側案内部は、前記弁体側案内部における第２方向側の端部よりも第１方向側の端部に近い位置に形成されており、第１方向へ移動している前記弁体から第１方向へ向けた外力を受けるように当該弁体に接触する第１受部と、前記弁体側案内部における第１方向側の端部よりも第２方向側の端部に近い位置に形成されており、第２方向へ移動している前記弁体から第２方向へ向けた外力を受けるように当該弁体に接触する第２受部とを有することを特徴とする。
【００１０】
本発明の構成によれば、弁体側案内部は、移動方向の側に偏在している部分（第１受部または第２受部）が受ける外力によって移動するようになっており、これは引張力（外力）によって移動する構成である（すなわち引き勝手になっている）。このような構成によれば、弁体側案内部と弁箱側案内部との摩擦によって移動方向と逆方向の摩擦力が弁体側案内部に生じても、弁体側案内部に圧縮作用が生じることを抑制できる。それゆえ、弁体側案内部に座屈が生じにくくなり、弁体側案内部が変形または損傷してしまうという不都合を抑制できる。
【００１１】
これに対し、移動方向と逆側に偏在している部分が受ける外力によって弁体側案内部が移動するような構成の場合、弁体から受ける外力と前記摩擦力とによって弁体側案内部に圧縮作用が生じやすく、弁体側案内部に座屈が生じやすい。
【００１２】
さらに、本発明の仕切弁において、前記弁体側案内部は、前記弁体との間で遊びのある状態で前記弁体に装着されていてもよい。
【００１３】
この構成によれば、弁体側案内部が弁体に固定されていないため、流体によって弁体が下流側に押された場合に弁体側案内部が弁箱側案内部に当てられることで生じる荷重を緩和でき、弁体側案内部において当該荷重に起因した変形および損傷が生じることを抑制できる。
【００１４】
また、本発明の仕切弁において、前記流路の軸に直交する方向であって且つ第１方向にも直交する一方向を第３方向とし、第３方向の逆方向を第４方向とする場合、前記弁体において第３方向側に最も突出している部分が前記弁体側案内部よりも第３方向側に突出し、前記弁体において第４方向側に最も突出している部分は前記弁体側案内部よりも第４方向側に突出している構成であってもよい。
【００１５】
これにより、弁体側案内部に厚みを持たせることができるため、弁体側案内部を破損しにくくできるというメリットがある。すなわち、弁体において第３方向側（第４方向側）に最も突出している部分と弁箱の第３方向側（第４方向側）の壁部との間に弁体側案内部が突出している形態では、弁箱の内面との関係上、弁体側案内部に厚みを持たせることができず、弁体を移動させる際に生じる摩擦力や流体によって弁体側案内部が弁箱側案内部に押し付けられる際の力で弁体側案内部を破損する可能性があるという問題が生じる。これに対し、本発明の構成によれば、弁体において第３方向側（第４方向側）に最も突出している部分と弁箱の第３方向側（第４方向側）の壁部との間に弁体側案内部が突出していないため、このような問題が生じない。さらに、本発明の構成においては、弁体側案内部が弁体によってバックアップされているため、受ける力（負荷）を弁体側案内部と弁体とによって分散させることができる。
【００１６】
また、本発明の仕切弁において、前記弁体側案内部が、前記弁体に形成されている凹状部からなる嵌込溝に嵌め込まれるようになっており、前記嵌込溝の凹状部が、前記弁体側案内部よりも第２方向に延ばされるように形成されている構成であってもよい。
【００１７】
この構成においては、前記嵌込溝の凹状部が弁体側案内部よりも第２方向側に延ばされるように形成されているため、仕切弁の組立時において弁体側案内部が変形または損傷するといった事態を抑制できるというメリットがある。すなわち、弁体側案内部が嵌込溝の凹状部よりも第２方向側に突出していると、仕切弁の組立時において弁箱に弁体側案内部がぶつかってしまって弁体側案内部が変形または損傷する虞があるところ、本発明の構成によれば、このような虞を抑制できる。
【００１８】
さらに、本発明の仕切弁において、前記弁体側案内部が、前記弁体に形成されている凹状部からなる嵌込溝に嵌め込まれるようになっており、前記嵌込溝の凹状部が、前記弁体側案内部よりも第１方向に延ばされるように形成されている構成であってもよい。
【００１９】
以上の構成では、前記嵌込溝の凹状部が弁体側案内部よりも第１方向側に延ばされるように形成されているため、前記開状態において砂や石等の物体が流れてきた場合に前記弁体側案内部に前記物体が当たってしまうという不都合を抑制できるというメリットがある。すなわち、弁体側案内部が嵌込溝の凹状部よりも第１方向側に突出していると、前記開状態において砂や石等の物体が流れてきた場合に前記弁体側案内部の第１方向側の端部に前記物体が当たってしまって前記弁体側案内部が破損してしまう虞があるが、本発明の構成によれば、このような虞を抑制できる。
【発明の効果】
【００２０】
本発明によれば、従来構成よりも、弁体側案内部の変形または損傷を抑制できるという効果を奏する。
【図面の簡単な説明】
【００２１】
【図１】（ａ）は、本発明の一実施形態に係る仕切弁であり、流路が開放されている開状態の仕切弁を模式的に示した断面図である。（ｂ）は、（ａ）に示した仕切弁であり、流路が遮断されている閉状態の仕切弁を模式的に示した断面図である。
【図２】（ａ）は、図１に示した仕切弁の弁体の外観であり、弁体側案内部が装着される前の弁体を示した斜視図である。（ｂ）は、弁体側案内部が装着された後の弁体を示した斜視図である。
【図３】図１に示した弁体の芯金であり、弁体側案内部が装着されている状態を模式的に示す上面図である。
【図４】図１に示した弁体の芯金であり、弁体側案内部が装着されている状態を模式的に示す下面図である。
【図５】図１に示した弁体の芯金であり、弁体側案内部が装着されている状態の正面図である。
【図６】（ａ）は、図２に示した弁体側案内部の正面図である。（ｂ）は、（ａ）に示した弁体側案内部の側面図である。（ｃ）は、（ａ）に示した弁体側案内部であってＡＡ線断面図である。
【図７】（ａ）は、図２に示した弁体の芯金の側面図であり、弁体側案内部が装着されている様子を示した図である。（ｂ）は、（ａ）に示した芯金であり、弁体側案内部を芯金からはずした様子を示した図である。（ｃ）は、（ａ）に示した芯金であってＧＧ線の断面図である。
【図８】弁体側案内部と弁体の嵌込溝との関係を説明するための模式図である。
【図９】（ａ）は、本発明の第１変形例に係る仕切弁の弁体側案内部を示す斜視図である。（ｂ）は、本発明の第２変形例に係る仕切弁の弁体側案内部を示す斜視図である。（ｃ）は、本発明の第３変形例に係る仕切弁の弁体側案内部を示す斜視図である。（ｄ）は、本発明の第４変形例に係る仕切弁の弁体側案内部を示す斜視図である。（ｅ）は、本発明の第５変形例に係る仕切弁の弁体側案内部を示す斜視図である。（ｆ）は、本発明の第６変形例に係る仕切弁の弁体側案内部を示す斜視図である。（ｇ）は、本発明の第７変形例に係る仕切弁の弁体側案内部を示す斜視図である。
【図１０】（ａ）は、本発明の第８変形例に係る仕切弁の弁体のうちの芯金であり、弁体側案内部が芯金に装着される前の状態を示す上面図である。（ｂ）は、（ａ）に示した芯金の正面図である。（ｃ）は、（ａ）に示した芯金であって、弁体側案内部が装着された状態を示す正面図である。（ｄ）は、本発明の第８変形例に係る仕切弁の弁箱を示す断面図である。
【図１１】弁体側案内部を弁体に固定させた変形例を説明するための図である。
【図１２】（ａ）は、本実施形態の仕切弁であって、弁体が流体を堰き止めている状態を示した断面図である。（ｂ）は、図１１に示した変形例に係る仕切弁であって、弁体が流体を堰き止めている状態を示した断面図である。（ｃ）は、参考例に係る仕切弁であって、弁体が流体を堰き止めている状態を示した断面図である。
【発明を実施するための形態】
【００２２】
本発明の一実施形態に係る仕切弁（ソフトシール仕切弁）は、流体を流すための配管に接続されるものであって、前記流体の流路を開閉するためのものである。以下、本発明の実施の形態について図を用いて詳細に説明する。
【００２３】
（仕切弁の全体構成）
図１は、本実施形態の仕切弁を示した図であり、仕切弁の流路の軸（流路を形成する管部１０１ａの軸）に平行且つ弁棒の軸に平行な平面によって仕切弁を切断した場合の断面を模式的に示した図である。そして、図１（ａ）は流路が開かれている開状態の図であり、図１（ｂ）は流路が閉ざされている閉状態の図である。図２は、図１に示した弁体の外観を示す斜視図であり、（ａ）は弁体側案内部が装着される前の弁体を示した図であり、（ｂ）は弁体側案内部が装着された後の弁体を示した図である。
【００２４】
図３は、図１に示した弁体の芯金および弁箱の一部を模式的に示した上面図である。図４は、図１に示した弁体の芯金および弁箱の一部を模式的に示した下面図である。図５は図１に示した弁体の芯金の正面図である。なお、図３〜図５は、弁体側案内部が弁体に装着されている状態を示した図である。
【００２５】
また、本願の各図面において、Ｘ１方向は、前記流路の軸に平行であり流路の上流側から下流側へ向けた方向を指し、Ｘ２方向は、Ｘ１方向の逆方向を指す。Ｙ１方向（第１方向）は、Ｘ１方向と垂直な一方向であり、図１（ａ）に示される開状態から図１（ｂ）に示される閉状態へ移行する際の弁体の移動方向を指す。Ｙ２方向（第２方向）は、Ｙ１方向の逆方向であり、閉状態から開状態へ移行する際の弁体の移動方向を指す。さらに、Ｚ１方向（第３方向）は、Ｘ１方向と直交且つＹ１方向と直交する一方向であり、Ｘ１方向を視線の方向としておりＹ２方向を上方向としている観察者からみて右から左へ向けた方向を指す。Ｚ２方向（第４方向）は、Ｚ１方向の逆方向を指す。
【００２６】
また、図１において、Ｚ１が指している符号は、紙面に垂直な方向であって紙面の手前側から紙面の奥側へ向かう方向を指すものであり、Ｚ２が指している符号は、紙面に垂直な方向であって紙面の奥側から紙面の手前側へ向かう方向を指すものである。すなわち、図１においては、紙面に垂直な方向であって紙面の手前側から紙面の奥側へ向かう方向がＺ１方向であり、紙面に垂直な方向であって紙面の奥側から紙面の手前側へ向かう方向がＺ２方向である。なお、前記の符号の解釈は他の図面でも同様とする。
【００２７】
本実施形態の仕切弁１００は、図１に示されるように、配管（不図示）に接続される弁箱１０１と、外周面にネジ山が形成されている弁棒１０２と、弁棒１０２のネジ山に螺合する雌ネジコマ１０３と、弁箱１０１において流体の流れる方向と直交する方向に進退移動可能な弁体１０４とを備える。なお、図１に示される弁体１０４の断面は、図２（ｂ）のＨＨ線にて切断した断面を模式的に示したものである。
【００２８】
図１に示されるように、弁箱１０１は、流体が流れる流路を形成する円筒状の管部１０１ａと、管部１０１ａに形成される開口１０１ｂと、弁体１０４を収容するための収容部１０１ｃとを備えている。収容部１０１ｃと管部１０１ａとは開口１０１ｂを介して接続されており、収容部１０１ｃの内部と管部１０１ａの内部（流路）とが連通している。また、管部１０１ａのＸ１方向側の端部、および、管部１０１ａのＸ２方向の端部は、図示しない円筒状の配管に接続されている。
【００２９】
弁体１０４は、図１、図２（ａ）および図２（ｂ）に示されるように、弁体１０４の本体をなす芯金１０４ａと、芯金１０４ａの周縁部に取り付けられているシール部材１０４ｂと、シール部材１０４ｂを芯金１０４ａに押さえつけるための押さえ板１０４ｃとを有する。
【００３０】
雌ネジコマ１０３は、芯金１０４ａの穴部（不図示）に設置されている。弁棒１０２は、Ｙ１方向側に雌ネジコマ１０３を螺合するネジ山（雄ネジ部）が形成されており、Ｙ２方向側の端部にキャップ（不図示）が装着されている。
【００３１】
なお、本実施形態の仕切弁１００において、弁箱１０１および芯金１０４ａは鋳物からなる。シール部材１０４ｂはゴム（弾性材料）からなるが、弾性力によるシール機能を有していれば特にゴムに限定されるものではなく、例えばフッ素樹脂であってもよい。また、押さえ板１０４ｃ、雌ネジコマ１０３、弁棒１０２はステンレス等の金属からなるが、特にステンレスに限定されるものではない。
【００３２】
また、本実施形態の仕切弁１００には、図３および図４に示されるように、弁体１０４をＹ１方向およびＹ２方向へ案内するための案内部１１０が備えられている。なお、図３、図４、および、後述する図７、図１０は、シール部材および押さえ板を省略して弁体を図示するものである（つまり芯金を図示している）。
【００３３】
案内部１１０は、図３および図４に示すように、弁体側案内部１１１と弁箱側案内部１１２とからなる。
【００３４】
弁体側案内部１１１は、図２〜図５に示されるように、弁体１０４の芯金１０４ａに装着され、樹脂材料、ステンレス、銅等の耐食材料からなる部材であり、凹状の溝を有している。なお、図５は、芯金１０４ａの正面図であって、芯金１０４ａに装着される弁体側案内部１１１を破線で示している。また、図５の一点鎖線は、芯金１０４ａに形成されており弁体側案内部１１１が挿入される嵌込溝１２０の輪郭線の一部である。
【００３５】
弁箱側案内部１１２は、図３および図４に示されるように、弁箱１０１の内部の壁部（内面）においてＹ１方向およびＹ２方向に延びるように形成されている凸状のレールである。つまり、弁箱側案内部１１２は、弁箱１０１の一部をなし、鋳物からなる。
【００３６】
そして、弁箱側案内部１１２と弁体側案内部１１１の溝部１１１ａとが嵌合するように弁体１０４が弁箱１０１に装着される。このような弁箱側案内部１１２および弁体側案内部１１１が備えられているため、弁体１０４にＹ１方向またはＹ２方向の外力が加えられると弁体１０４はＹ１方向またはＹ２方向に案内（ガイド）されるようになっている。
【００３７】
以上にて説明した仕切弁１００においては、図１（ａ）に示すように、弁体１０４が流路（管部１０１ａの内部）に位置せずに収容部１０１ｃに収容されており、当該流路が開放されている状態が前記開状態に該当する。開状態では流路においてＸ１方向に向けて流体が流れる。これに対し、図１（ｂ）に示すように、弁体１０４が収容部１０１ｃから流路に突出し、弁箱１０１の内面と芯金１０４ａとの間がシール部材１０４ｂによって封止（シール）されており、芯金１０４ａおよびシール部材１０４ｂによって流路が遮断されている状態が前記閉状態に該当する。閉状態では、流路において水流が遮断されている。
【００３８】
そして、図１（ａ）に示す開状態において、作業者が、弁棒１０２を一方の方向に回転させると、雌ネジコマ１０３および弁体１０４にＹ１方向の外力が与えられ、弁体１０４は前記の外力の作用と案内部１１０（図３参照）とによってＹ１方向に移動する。これにより、図１（ａ）に示す開状態から図１（ｂ）に示す閉状態に移行させることができる。
【００３９】
これに対し、図１（ｂ）に示す閉状態において、作業者が、弁棒１０２を他方の方向に回転させると、雌ネジコマ１０３および弁体１０４にＹ２方向の外力が与えられ、弁体１０４は前記の外力の作用と案内部１１０とによってＹ２方向に移動する。これにより、図１（ｂ）に示す閉状態から図１（ａ）に示す開状態に移行させることができる。
【００４０】
（弁体側案内部）
つぎに、案内部１１０のうちの弁体側案内部１１１について詳細に説明する。本実施形態の仕切弁１００においては、弁体１０４に対して一対の弁体側案内部１１１・１１１が装着されている。具体的には、図２〜図５に示されるように、弁体１０４のＺ１方向側の側部とＺ２方向側の側部との夫々に弁体側案内部１１１が着脱自在に装着されている。
【００４１】
なお、弁体１０４のＺ１方向側の側部に装着される弁体側案内部１１１と、弁体１０４のＺ２方向側の側部に装着される弁体側案内部１１１とは、同じ構成および機能を有する。そこで、以下では、弁体１０４のＺ２方向側の側部に装着される弁体側案内部１１１のみを説明し、弁体１０４のＺ１方向側の側部に装着される弁体側案内部１１１の説明については省略する。
【００４２】
図６は、弁体１０４のＺ２方向側の側部に装着される弁体側案内部１１１を示す図であって、（ａ）は弁体側案内部１１１の正面図、（ｂ）は弁体側案内部１１１の側面図、（ｃ）は（ａ）のＡＡ線断面図である。
【００４３】
弁体側案内部１１１は、図６（ｃ）に示されるように、断面が凹状の溝部１１１ａを有するケース状の部材である。また、図６（ａ）〜図６（ｃ）に示されるように、弁体側案内部１１１には、Ｘ１方向に突出する凸部１１１ｂと、Ｘ２方向に突出する凸部１１１ｃと、Ｚ１方向に突出する凸部１１１ｄとが形成されている。
【００４４】
凸部１１１ｂと凸部１１１ｃとは、Ｙ２方向と平行なラインを軸とした線対称の関係にある（つまり、Ｙ２方向を高さ方向とすると、凸部１１１ｂと凸部１１１ｃとは同じ高さに位置する）。
【００４５】
また、図６（ａ）および図６（ｂ）に示すように、凸部１１１ｂおよび凸部１１１ｃは、弁体側案内部１１１におけるＹ１方向の端部よりもＹ２方向の端部に近い位置に形成されている。凸部１１１ｄは、図６（ａ）に示すように、弁体側案内部１１１におけるＹ２方向の端部よりもＹ１方向の端部に近い位置に形成されている。すなわち、凸部１１１ｄは、凸部１１１ｂおよび凸部１１１ｃよりもＹ１方向側に位置していることになる。
【００４６】
また、図６（ａ）および図６（ｂ）に示すように、弁体側案内部１１１には、Ｘ１方向の側と、Ｘ２方向の側との各々において、突起１１１ｅが形成されている。
【００４７】
つぎに、弁体１０４において弁体側案内部１１１が装着される装着部分を説明する。図７（ａ）は、弁体側案内部１１１が装着されている状態の弁体１０４の芯金１０４ａを示す側面図、（ｂ）は弁体側案内部１１１が弁体１０４からはずされた状態を示す側面図、（ｃ）は（ａ）のＧＧ線断面図である。図８は、弁体１０４に嵌められている状態の弁体側案内部１１１を模式的に示す図である。
【００４８】
弁体１０４の芯金１０４ａには、図２（ａ）、図５、図７（ｂ）に示されるように、弁体側案内部１１１が嵌められる嵌込溝１２０が形成されている。嵌込溝１２０は、図７（ｂ）および図８に示されるように、弁体側案内部１１１が嵌められた場合に、凸部１１１ｂが嵌められる第１溝部１２０ｂと、凸部１１１ｃが嵌められる第２溝部１２０ｃと、凸部１１１ｄが嵌められる第３溝部１２０ｄとを有している。なお、図８に示されている破線は、第２溝部１２０ｃの輪郭線の一部、および第３溝部１２０ｄの輪郭線の一部を模式的に示したラインである。
【００４９】
また、図７（ｃ）に示されるように、嵌込溝１２０の壁部には、弁体側案内部１１１の突起１１１ｅが嵌められる切欠部１２０ｅが形成されている。
【００５０】
以上の構成において、弁体側案内部１１１を嵌込溝１２０に押し込むと、弁体側案内部１１１は、弾性変形しながら切欠部１２０ｅに挿入され、切欠部１２０ｅに嵌められると復元する。これにより、図７（ａ），図７（ｃ），図８に示されるように、弁体側案内部１１１が嵌込溝１２０から脱落せぬように、突起１１１ｅと切欠部１２０ｅとが遊びを持った状態で嵌合し、弁体側案内部１１１が嵌込溝１２０に装着された状態になる。
【００５１】
また、本実施形態では、弁体側案内部１１１が弁体１０４に対して遊びのある状態で装着されるように、嵌込溝１２０および弁体側案内部１１１のサイズおよび形状が設計されている。つまり、図７および図８に示されるように、凸部１１１ｂは第１溝部１２０ｂに対して遊びをもった状態で嵌められ、凸部１１１ｃは第２溝部１２０ｃに対して遊びをもった状態で嵌められ、凸部１１１ｄは第３溝部１２０ｄに対して遊びをもった状態で嵌められている。また、突起１１１ｅも切欠部１２０ｅに対して遊びをもった状態で嵌められる。
【００５２】
それゆえ、弁体側案内部１１１は、弁体１０４に固定されておらず、弁体１０４に遊びを持った状態で弁体１０４に装着されている。そして、弁体１０４が揺らされると、弁体側案内部１１１は、弁体１０４に装着された状態で揺動するようになっている。
【００５３】
（引き勝手）
本実施形態の仕切弁１００においては、弁体１０４がＹ１方向またはＹ２方向へ移動する際、弁体側案内部１１１は、弁体１０４（芯金１０４ａ）から受ける引張力によって弁体１０４と共に移動するようになっている（引き勝手になっている）。以下では、この点について詳細に説明する。
【００５４】
弁体１０４がＹ１方向へ移動している場合、第３溝部１２０ｄの壁部Ａ（図８参照）が弁体側案内部１１１の凸部１１１ｄの上面ａに当接し、この当接によって弁体側案内部１１１の凸部１１１ｄの上面ａが壁部ＡからＹ１方向の外力を受け、この外力により弁体側案内部１１１が弁体１０４に追随してＹ１方向へ移動するようになっている。なお、この時、凸部１１１ｂ・１１１ｃは嵌込溝１２０の壁部から離れており、凸部１１１ｂ・１１１ｃが弁体１０４からＹ１方向への外力を受けることはない。また、壁部Ａが弁体側案内部１１１の凸部１１１ｄの上面ａに当接している時に突起１１１ｅは切欠部１２０ｅからＹ１方向の外力を受けないように構成されている。
【００５５】
これに対し、弁体１０４がＹ２方向へ移動している場合、第１溝部１２０ｂの壁部Ｂ（図７（ａ）参照）が弁体側案内部１１１の凸部１１１ｂの下面ｂに当接し、且つ、第２溝部１２０ｃの壁部Ｃ（図７（ａ）および図８参照）が弁体側案内部１１１の凸部１１１ｃの下面ｃに当接する。そして、これら当接により、弁体側案内部１１１の凸部１１１ｂの下面ｂが第１溝部１２０ｂの壁部ＢからＹ２方向の外力を受け、弁体側案内部１１１の凸部１１１ｃの下面ｃが第２溝部１２０ｃの壁部ＣからＹ２方向の外力を受け、これら外力により弁体側案内部１１１が弁体１０４に追随してＹ２方向へ移動するようになっている。なお、この時、凸部１１１ｄ（図８参照）は嵌込溝１２０の壁部から離れており、凸部１１１ｄが弁体１０４からＹ２方向への外力を受けることはない。また、壁部Ｂが弁体側案内部１１１の凸部１１１ｂの下面ｂに当接し且つ壁部Ｃが弁体側案内部１１１の凸部１１１ｃの下面ｃに当接している時に突起１１１ｅは切欠部１２０ｅからＹ１方向の外力を受けないように構成されている。
【００５６】
つまり、本実施形態において、弁体側案内部１１１の凸部１１１ｄの上面ａは、弁体１０４がＹ１方向に移動する場合、弁体１０４の壁部Ａと当接（接触）することにより、弁体側案内部１１１をＹ１方向へ移動させる外力を壁部Ａから受けるようになっている。また、弁体１０４がＹ２方向に移動する場合、弁体側案内部１１１の凸部１１１ｂの下面ｂは、弁体１０４の壁部Ｂに当接（接触）することによって、弁体側案内部１１１をＹ２方向へ移動させる外力を壁部Ｂから受け、弁体側案内部１１１の凸部１１１ｃの下面ｃは、弁体１０４の壁部Ｃに当接（接触）することによって、弁体側案内部１１１をＹ２方向へ移動させる外力を壁部Ｃから受けるようになっている。そして、凸部１１１ｄ（第１受部）は、弁体側案内部１１１におけるＹ２方向（第２方向）の端部よりもＹ１方向（第１方向）の端部に近い位置に形成され、凸部１１１ｂおよび凸部１１１ｃ（第２受部）は、弁体側案内部１１１におけるＹ１方向の端部よりもＹ２方向の端部に近い位置に形成されている。
【００５７】
このような構成によれば、弁体側案内部１１１は、移動する方向の側に偏在している部分（第１受部、第２受部）が受ける外力によって移動するようになっており、これは引張力（外力）によって移動する構成である（すなわち引き勝手になっている）。このような構成によれば、弁体側案内部１１１と弁箱側案内部１１２との摩擦によって移動方向と逆方向の摩擦力が弁体側案内部１１１に生じても、弁体側案内部１１１に圧縮作用が生じることを抑制できる。それゆえ、弁体側案内部１１１に座屈が生じにくくなり、弁体側案内部１１１が変形または損傷してしまうという不都合を抑制できる。これに対し、移動方向と逆側に偏在している部分が受ける外力によって弁体側案内部が移動するような構成の場合（押し勝手）、弁体から受ける外力と前記摩擦力とによって弁体側案内部に圧縮作用が生じやすく、弁体側案内部に座屈が生じやすい。
【００５８】
また、本実施形態では、弁体側案内部１１１が弁体１０４に対して遊びのある状態で装着されているが、弁体側案内部１１１が弁体１０４に対して遊びを持たずに固定されていたとしても、弁体側案内部１１１を引張力で移動させることが可能である（引き勝手にできる）。すなわち、弁体側案内部１１１が弁体１０４に対して固定されていても、弁体側案内部１１１が引き勝手で移動するようになっている構成であれば、本発明の範疇に入る。以下では、そのような構成の一例を図１１に基づいて説明する。
【００５９】
図１１は、弁体側案内部を弁体に固定させた変形例Ｘを説明するための図である。なお、図１１の変形例Ｘと図１〜図８にて示した実施形態との相違点は、弁体側案内部が弁体に固定されているか否かのみであるため、図１１に示す変形例Ｘの各部材については、図１〜図８にて使用した部材番号と同じ番号を付してその説明を省略する。
【００６０】
図１１に示す変形例Ｘでは、弁体側案内部１１１の凸部１１１ｄは、その上面ａが第３溝部１２０ｄの壁部Ａに固着（接着）され、凸部１１１ｄの下面（Ｙ１方向側の面）は、第３溝部１２０ｄの壁部から離されている。つまり、図１１の変形例Ｘでは、弁体１０４がＹ１方向およびＹ２方向のいずれに移動しても、凸部１１１ｄの上面ａは第３溝部１２０ｄの壁部Ａに固定された状態を維持し、凸部１１１ｄの下面は第３溝部１２０ｄの壁部から離された状態を維持する。
【００６１】
また、図１１の変形例Ｘでは、弁体側案内部１１１の凸部１１１ｃの下面ｃは、第２溝部１２０ｃの壁部Ｃに固着（接着）され、凸部１１１ｃの上面（Ｙ２方向側の面）は、第２溝部１２０ｃの壁部から離されている。また、変形例Ｘでは、図１１にて示されていないものの、凸部１１１ｂの下面ｂが第１溝部１２０ｂの壁部Ｂに固着され、凸部１１１ｂの上面（Ｙ２方向側の面）は、第１溝部１２０ｂの壁部から離れている。つまり、図１１の変形例Ｘでは、弁体１０４がＹ１方向およびＹ２方向のいずれに移動しても、弁体側案内部１１１の凸部１１１ｃの下面ｃは、第２溝部１２０ｃの壁部Ｃに固定された状態を維持し、凸部１１１ｂの下面ｂは、第１溝部１２０ｂの壁部Ｂに固定された状態を維持する。また、弁体１０４がＹ１方向およびＹ２方向のいずれに移動しても、凸部１１１ｃの上面（Ｙ２方向側の面）は、第２溝部１２０ｃの壁部から離された状態を維持し、凸部１１１ｂの上面（Ｙ２方向側の面）は、第１溝部１２０ｂの壁部から離された状態を維持する。
【００６２】
そして、図１１の構成において、弁体１０４がＹ１方向に移動する場合、弁体１０４の壁部Ａから弁体側案内部１１１の上面ａに対してＹ１方向の外力が与えられ、この外力によって弁体側案内部１１１が弁体１０４に追随してＹ１方向へ移動するようになっている。なお、弁体１０４がＹ１方向に移動している場合、弁体側案内部１１１の下面ｃから弁体１０４の壁部ＣへＹ１方向の外力が与えられるが、弁体１０４の壁部Ｃから弁体側案内部１１１の下面ｃへ外力が与えられていない。同様に、弁体１０４がＹ１方向に移動する場合、弁体側案内部１１１の下面ｂ（図１１では不図示）から弁体１０４の壁部Ｂ（図１１では不図示）へＹ１方向の外力が与えられるが、壁部Ｂから下面ｂへ外力は与えられていない。
【００６３】
これに対し、図１１の構成において、弁体１０４がＹ２方向に移動する場合、弁体１０４の壁部Ｃから弁体側案内部１１１の下面ｃに対してＹ２方向の外力が与えられ、弁体側案内部１１１の下面ｂ（図１１では不図示）に対して弁体１０４の壁部Ｂ（図１１では不図示）からＹ２方向の外力が与えられ、これら外力によって弁体側案内部１１１が弁体１０４に追随してＹ２方向へ移動するようになっている。なお、図１１の構成において、弁体１０４がＹ２方向に移動する場合、弁体側案内部１１１の上面ａから弁体１０４の壁部Ａへ外力が与えられるが、弁体１０４の壁部Ａから弁体側案内部１１１の上面ａへ外力は与えられていない。
【００６４】
以上にて説明した図１１の変形例Ｘであっても、弁体側案内部１１１は、移動する方向の側に偏在している部分が受ける外力によって移動するようになっており、これは引張力（外力）によって移動する構成である（すなわち引き勝手になっている）。つまり、弁体側案内部１１１と弁体１０４との間に遊びを持たせずに、弁体側案内部１１１を弁体１０４に固定させた構成であっても、引き勝手で弁体側案内部１１１を移動させる構成を実現でき、弁体側案内部１１１に座屈を生じにくくすることができる。
【００６５】
（遊びを持たせる場合の利点）
但し、図１〜図８に示す本実施形態の構成のように、弁体側案内部１１１と弁体１０４との間に遊びをもたせるようにした場合、弁体１０４をＹ１方向またはＹ２方向に移動させる際の弁体側案内部１１１の座屈を抑制できるという効果の他、以下にて説明する利点を有することになるため、より好ましい形態といえる。以下ではこの利点について図１２を参照して説明する。
【００６６】
図１２（ａ）は、図１〜図８に示した本実施形態の仕切弁であって、弁体が流体を堰き止めている状態を示した断面図である。図１２（ｂ）は、図１１に示した変形例Ｘに係る仕切弁であって、弁体が流体を堰き止めている状態を示した断面図である。図１２（ｃ）は、参考例に係る仕切弁であって、弁体が流体を堰き止めている状態を示した断面図である。
【００６７】
通常、仕切弁において弁体が流体を堰き止めている状態の場合、弁体は流体によってＸ１方向（下流側）に押されている。例えば、図１２（ａ）は、図３の仕切弁１００において弁体が流体を堰き止めている状態になった場合を図示したものであるが、図３の状態と比して弁体１０４がＸ１方向（下流側）に押されて移動している。
【００６８】
ここで、図１１および図１２（ｂ）に示す変形例Ｘは、弁体側案内部１１１の凸部１１１ｂ〜１１１ｄが弁体１０４に固着されることで弁体側案内部１１１が弁体１０４に固定されているものの、弁体側案内部１１１と弁体１０４との間の大部分においてスペースが確保されている形態である。このような形態の場合、弁体１０４が流体によってＸ１方向に押されると、弁体側案内部１１１が変形し破損する可能性がある。これは、図１２（ｂ）に示されるように、弁体１０４が流体にＸ１方向へ押されると、弁体側案内部１１１は弁箱側案内部１１２に当てられて荷重が生じるが、弁体側案内部１１１は固定されているため、弁体側案内部１１１のうち前記のスペースに囲まれている部分が前記荷重によって変形させられる可能性があるからである。
【００６９】
この点、図１２（ｃ）に示す参考例のように、弁体側案内部６１１と弁体６０４とを密着・固定させ、弁体側案内部６１１と弁体６０４との間に隙間を無くしてしまえば、図１２（ｂ）に示したような変形が起こりにくい。しかしながら、図１２（ｃ）に示すように弁体側案内部６１１と弁体６０４との間に隙間を無くすようにする場合、鋳物（芯金）の加工費用が高価になってしまい現実的ではない。
【００７０】
これに対し、図１〜図８に示した本実施形態の構成によれば、流体によって弁体１０４がＸ１方向（下流側）に押されて移動して弁体側案内部１１１が弁箱側案内部１１２に当てられても、弁体側案内部１１１と弁体１０４との間に遊びがあるため、弁体側案内部１１１に作用する荷重を緩和でき、図１２（ａ）に示すように弁体側案内部１１１の変形を防止できるという利点を有する。
【００７１】
なお、図１１および図１２（ｂ）に示す変形例Ｘでは、流体によって弁体１０４が押された場合の弁体側案内部１１１の変形を防止できるという前記の利点を有さないが、弁体側案内部が引き勝手で移動する構成になっているため、弁体をＹ１方向またはＹ２方向に移動させる際の弁体側案内部１１１の座屈を抑制できるという効果を奏し、本発明の範疇に入る。
【００７２】
（弁体側案内部と弁体との位置関係）
また、本実施形態の仕切弁１００によれば、図２（ｂ）および図３〜図５に示されるように、弁体１０４においてＺ１方向側に最も突出している部分は、弁体側案内部１１１よりもＺ１方向側に位置しており、弁体１０４においてＺ２方向側に最も突出している部分は、弁体側案内部１１１よりもＺ２方向側に位置している。
【００７３】
このような構成によれば、弁体側案内部１１１に厚みを持たせることができるため、弁体側案内部１１１を破損しにくくできるというメリットがある。
【００７４】
すなわち、弁体においてＺ１方向側（Ｚ２方向側）に最も突出している部分と弁箱のＺ１方向側（Ｚ２方向側）の壁部との間に弁体側案内部が突出している形態では、弁箱の内面との関係上、弁体側案内部に厚みを持たせることができず、弁体を移動させる際に生じる摩擦力や流体によって弁体側案内部が弁箱側案内部に押し付けられる際の力で弁体側案内部を破損する可能性があるという問題が生じる。これに対し、図２（ｂ）および図３〜図５に示すように、本実施形態の仕切弁１００によれば、弁体１０４においてＺ１方向側（Ｚ２方向側）に最も突出している部分と弁箱１０１のＺ１方向側（Ｚ２方向側）の壁部との間に弁体側案内部１１１が突出していないため、このような問題が生じない。また、本実施形態の構成では、弁体側案内部１１１が弁体１０４によってバックアップされているため、受ける力（負荷）を弁体側案内部１１１と弁体１０４とによって分散させることができる。
【００７５】
（弁体側案内部と嵌込溝との位置関係）
本実施形態の弁体側案内部１１１は、弁体１０４の芯金１０４ａに形成されている嵌込溝１２０に嵌め込まれるようになっている。この嵌込溝１２０は、図７（ａ）（ｃ）に示されるように、ＧＧ線の断面の形状が凹状部になっており、この凹状部からなる嵌込溝１２０は、図２（ｂ）および図５に示されるように、弁体側案内部１１１よりもＹ２方向に延ばされるように形成されている。
【００７６】
このような構成によれば、仕切弁１００の組立時において弁体側案内部１１１が変形または損傷するといった事態を抑制できるというメリットがある。すなわち、弁体側案内部が嵌込溝の凹状部よりもＹ２方向側に突出していると、仕切弁の組立時において弁箱に弁体側案内部がぶつかってしまって弁体側案内部が変形または損傷する虞があるところ、本実施形態の構成では、弁体側案内部１１１よりも凹状部からなる嵌込溝１２０の方がＹ２方向側に突出しているため、このような虞を抑制できる。
【００７７】
さらに、本実施形態の仕切弁１００によれば、図２（ｂ）および図５に示されるように、凹状部からなる嵌込溝１２０は弁体側案内部１１１よりもＹ１方向に延ばされるように形成されている。
【００７８】
このような構成によれば、弁体側案内部１１１を嵌め込む嵌込溝１２０が弁体側案内部１１１よりもＹ１方向に延ばされて形成されているため、前記開状態において砂や石等の物体が流れてきた場合に弁体側案内部１１１に前記物体が当たってしまうという不都合を抑制できるというメリットがある。すなわち、弁体側案内部が嵌込溝の凹状部よりも仮にＹ１方向側に突出していると、前記開状態において砂や石等の物体が流れてきた場合に前記弁体側案内部のＹ１方向側の端部に前記物体が当たってしまって前記弁体側案内部が破損してしまう虞があるが、本実施形態の構成では、弁体側案内部１１１よりも凹状部からなる嵌込溝１２０の方がＹ１方向側に突出しているため、このような虞を抑制できる。
【００７９】
また、以上の実施形態にて示した仕切弁は部分ゴムライニング式であったが、勿論、全面ゴムライニング式の仕切弁に対しても本発明を適用可能である。
【００８０】
（変形例）
以下では本発明の仕切弁の変形例について図９に基づいて説明する。なお、図９の各変形例については、弁体のＺ１方向側の側部に取り付けられる弁体側案内部のみを図示し、その他の部分の図示を省略して説明する。
【００８１】
図９（ａ）は、本発明の第１変形例に係る仕切弁の弁体側案内部１１を示す斜視図である。図９（ａ）の弁体側案内部１１は、Ｙ１方向の端部よりもＹ２方向の端部に近い位置においてＺ２方向側に突出している凸部１２と、Ｙ２方向の端部よりもＹ１方向の端部に近い位置においてＺ２方向側に突出している凸部１３とを有している。また、図９（ａ）に示されるように、凸部１２のＹ１方向側にはＹ１方向と略垂直な第２係合面（第２受部）１２ａが形成され、凸部１３のＹ２方向側にはＹ２方向と略垂直な第１係合面（第１受部）１３ａが形成されている。
【００８２】
また、弁体側案内部１１が嵌め込まれる弁体の嵌込溝には、弁体がＹ１方向へ移動している場合に第１係合面１３ａと当接する第１接触部（第１係合面１３ａと対向している壁部）と、弁体がＹ２方向へ移動している場合に第２係合面１２ａと当接する第２接触部（第２係合面１２ａと対向している壁部）とが形成されている。
【００８３】
そして、弁体側案内部１１は、弁体がＹ１方向へ移動している場合、第１係合面１３ａと弁体（第１接触部）との当接によってＹ１方向の外力を受けて当該外力によってＹ１方向へ移動するようになっている。なお、第１係合面１３ａと弁体との当接によって弁体側案内部１１がＹ１方向の外力を受けている時（Ｙ１方向へ移動中）、凸部１２が弁体からＹ１方向の外力を受けないように弁体側案内部１１および弁体が設計されている。
【００８４】
これに対し、弁体側案内部１１は、弁体がＹ２方向へ移動している場合、第２係合面１２ａと弁体（第２接触部）との当接によってＹ２方向の外力を受けて当該外力によってＹ２方向へ移動するようになっている。なお、第２係合面１２ａと弁体の前記第２接触部との当接によって弁体側案内部１１がＹ２方向の外力を受けている時（Ｙ２方向へ移動中）、凸部１３が弁体からＹ２方向の外力を受けないように弁体側案内部１１および弁体が設計される。
【００８５】
以上にて示した弁体側案内部１１であっても、前述した実施の形態の弁体側案内部１１１と同様、移動する方向の側に偏在している部分から受ける外力によって移動するようになっており、引張力（外力）によって移動する構成である（すなわち引き勝手になっている）。
【００８６】
また、弁体側案内部１１に形成される凸部１２・１３は、図９（ｂ）に示す第２変形例のように、Ｚ２方向側ではなくＸ２方向側に突出するように形成されていてもよい。あるいは、図９（ｃ）に示す第３変形例のように、凸部１２がＺ２方向側に突出するように形成されている一方で、凸部１３がＸ２方向側に突出するように形成されていてもよい。また、図示はしていないが、勿論、凸部１２がＸ２方向側に突出するように形成されている一方で、凸部１３がＺ２方向側に突出するように形成されていてもよい。
【００８７】
つぎに、図９（ｄ）に示す本発明の第４変形例について説明する。図９（ｄ）は、本発明の第４変形例に係る弁体側案内部２１を示す斜視図である。図９（ｄ）の弁体側案内部２１にはＺ２方向側の側部において第２斜面２１ａと第１斜面２１ｂとが形成されており、第２斜面（第２受部）２１ａは弁体側案内部２１のＹ１方向の端部よりもＹ２方向の端部に近い位置に形成されており、第１斜面（第１受部）２１ｂは弁体側案内部２１のＹ２方向の端部よりもＹ１方向の端部に近い位置に形成されているものである。図９（ｄ）に示す弁体側案内部２１において、第２斜面２１ａは、Ｙ２方向の側に近い位置ほどＺ２方向の側に近くなるような斜面であり、第１斜面２１ｂは、Ｙ１方向の側に近い位置ほどＺ２方向の側に近くなるような斜面になっている。
【００８８】
また、弁体側案内部２１が嵌め込まれる弁体の嵌込溝には、弁体がＹ１方向へ移動している場合において第１斜面２１ｂと当接する第３接触部（第１斜面２１ｂと対向している壁部）と、弁体がＹ２方向へ移動している場合において第２斜面２１ａと当接する第４接触部（第２斜面２１ａと対向している壁部）とが形成されている。
【００８９】
そして、弁体側案内部２１は、弁体がＹ１方向へ移動している場合、第１斜面２１ｂと弁体（第３接触部）との当接によってＹ１方向の外力を受けて当該外力によってＹ１方向へ移動するようになっている。なお、第１斜面２１ｂと弁体（第３接触部）との当接によって弁体側案内部２１がＹ１方向の外力を受けている時（Ｙ１方向へ移動中）、弁体から第２斜面２１ａにＹ１方向への外力は作用しない。
【００９０】
これに対し、弁体側案内部２１は、弁体がＹ２方向へ移動している場合、第２斜面２１ａと弁体（第４接触部）との当接によってＹ２方向の外力を受けて当該外力によってＹ２方向へ移動するようになっている。なお、第２斜面２１ａと弁体（第４接触部）との当接によって弁体側案内部２１がＹ２方向の外力を受けている時（Ｙ２方向へ移動中）、弁体から第１斜面２１ｂにＹ２方向の外力は作用しない。
【００９１】
以上にて示した弁体側案内部２１であっても、前述した実施の形態の弁体側案内部１１１と同様、移動する方向の側に偏在している部分から受ける外力によって移動するようになっており、引張力（外力）によって移動する構成である（すなわち引き勝手になっている）。
【００９２】
また、弁体側案内部２１の第２斜面２１ａおよび第１斜面２１ｂは、図９（ｅ）に示す第５変形例のように、Ｚ２方向側の側部ではなく、Ｘ２方向側の側部とＸ１方向側の側部との各々に形成されていてもよい。但し、図９（ｅ）に示すように、第５変形例では、Ｘ２方向側の側部に形成される第２斜面２１ａは、Ｙ２方向の側に近い位置ほどＸ２方向の側に近くなるような斜面であり、Ｘ１方向側の側部に形成される第２斜面２１ａは、Ｙ２方向の側に近い位置ほどＸ１方向の側に近くなるような斜面である。また、図９（ｅ）に示すように、第５変形例では、Ｘ２方向側の側部に形成される第１斜面２１ｂは、Ｙ１方向の側に近い位置ほどＸ２方向の側に近くなるような斜面であり、Ｘ１方向側の側部に形成される第１斜面２１ｂは、Ｙ１方向の側に近い位置ほどＸ１方向の側に近くなるような斜面である。
【００９３】
つぎに、図９（ｆ）に示す本発明の第６変形例について説明する。図９（ｆ）の弁体側案内部３１のＺ２方向側の側部には凹部３２が形成されており、凹部３２の壁部は、弁体側案内部３１のＹ１方向の端部よりもＹ２方向の端部に近い位置に形成されており且つＹ１方向に垂直な第３係合面（第２受部）３２ａと、弁体側案内部３１のＹ２方向の端部よりもＹ１方向の端部に近い位置に形成されており且つＹ１方向に垂直な第４係合面（第１受部）３２ｂとを有している。
【００９４】
また、弁体側案内部３１が嵌め込まれる弁体の嵌込溝には、弁体がＹ１方向へ移動している場合に第４係合面３２ｂと当接する第５接触部（第４係合面３２ｂと対向している壁部）と、弁体がＹ２方向へ移動している場合に第３係合面３２ａと当接する第６接触部（第３係合面３２ａと対向している壁部）とが形成されている。
【００９５】
そして、弁体側案内部３１は、弁体がＹ１方向へ移動している場合、第４係合面３２ｂと弁体（第５接触部）との当接によってＹ１方向の外力を受けて当該外力によってＹ１方向へ移動するようになっている。なお、第４係合面３２ｂと弁体（第５接触部）との当接によって弁体側案内部３１がＹ１方向の外力を受けている時（Ｙ１方向へ移動中）、弁体から第３係合面３２ａにＹ１方向の外力は作用しない。
【００９６】
これに対し、弁体側案内部３１は、弁体がＹ２方向へ移動している場合、第３係合面３２ａと弁体（第６接触部）との当接によってＹ２方向の外力を受けて当該外力によってＹ２方向へ移動するようになっている。なお、第３係合面３２ａと弁体（第６接触部）との当接によって弁体側案内部３１がＹ２方向の外力を受けている時（Ｙ２方向へ移動中）、弁体から第４係合面３２ｂにＹ２方向の外力は作用しない。
【００９７】
以上にて示した弁体側案内部３１であっても、前述した実施の形態の弁体側案内部１１１と同様、移動する方向の側に偏在している部分から受ける外力によって移動するようになっており、引張力（外力）によって移動する構成である（すなわち引き勝手になっている）。
【００９８】
また、弁体側案内部３１に形成される凹部３２は、図９（ｇ）に示す第７変形例のように、Ｚ２方向側の側部ではなく、Ｘ２方向側の側部とＸ１方向側の側部との各々に形成されていてもよい。
【００９９】
なお、図１２に示した各構成についても、弁体側案内部を弁体に固定させる形態であってもよい。例えば、図９（ａ）〜図９（ｃ）の変形例において、弁体側案内部１１のうち、第１係合面１３ａおよび第２係合面１２ａを弁体に固着させる一方、それ以外の部分を弁体から離間させるように構成すれば、弁体側案内部１１を弁体に固定させつつ引き勝手を実現できる。
【０１００】
（弁箱側案内部が溝部になっている構成）
以上示した実施形態の仕切弁１００においては、弁箱側案内部１１２が凸状のレールであった。しかし、弁箱側案内部が凸状のレールではなく凹状のレールになっており、弁体側案内部が当該凹状のレール（弁箱側案内部）に挿入される挿入部材になっていてもよい。例えば、本発明の仕切弁は図１０に示すように構成されていてもよい。
【０１０１】
図１０（ａ）は、本発明の第８変形例を示す図であり、弁体側案内部３１１が装着される前の弁体３００の芯金３０１の上面図である。図１０（ｂ）は、図１０（ａ）に示した芯金３０１の正面図である。図１０（ｃ）は、図１０（ａ）に示した芯金３０１であって、弁体側案内部３１１が装着された後の状態を示した正面図である。図１０（ｄ）は、本発明の第８変形例に係る弁箱を示す断面図である。
【０１０２】
図１０（ａ）および図１０（ｂ）に示すように、弁体３００の芯金３０１には、Ｚ１方向の側部およびＺ２方向の側部の各々に突出部３０１ａが形成されている。さらに、図１０（ａ）〜図１０（ｃ）に示すように、突出部３０１ａにはケース状の弁体側案内部３１１が嵌められ、弁体側案内部３１１によって突出部３０１ａが覆われている。
【０１０３】
また、弁体側案内部３１１のうち突出部３０１ａに対面する側は、突出部３０１ａに対して遊びを持った状態で突出部３０１ａに嵌められるように、突出部３０１ａの形状に沿った形状に成型されている。
【０１０４】
さらに、図１０（ｄ）に示すように、第８変形例に係る弁箱３２０のＺ１方向の内面およびＺ２方向の内面の各々には、Ｙ１方向およびＹ２方向に延ばされている凹状の溝部である弁箱側案内部３２１が形成されている。なお、図１０（ｄ）は弁箱３２０のうち、弁体３００を収容するための収容部の断面を示したものである。
【０１０５】
そして、弁体側案内部３１１と弁箱側案内部３２１とが嵌合するように弁体３００が弁箱３２０に装着される。これにより、弁体３００にＹ１方向またはＹ２方向の外力が加えられると弁体３００はＹ１方向またはＹ２方向に案内（ガイド）されるようになっている。
【０１０６】
また、図１０（ｂ）に示されるように、弁体側案内部３１１は、突出部３０１ａと対面する側において、第２壁部３１１ａおよび第１壁部３１１ｂを有している。第２壁部３１１ａは、弁体側案内部３１１におけるＹ１方向の端部よりもＹ２方向の端部に近い位置に形成されており、第１壁部３１１ｂは、弁体側案内部１１１におけるＹ２方向の端部よりもＹ１方向の端部に近い位置に形成されている。
【０１０７】
さらに、図１０（ａ）〜図１０（ｃ）に示されるように、弁体側案内部３１１は、第２壁部３１１ａが突出部３０１ａの上面Ｇと対向しつつ第１壁部３１１ｂが突出部３０１ａの下面Ｆと対向するように、突出部３０１ａに対して遊びを持った状態で嵌め込まれる。
【０１０８】
そして、弁体３００がＹ１方向へ移動している場合、突出部３０１ａの下面Ｆと弁体側案内部３１１の第１壁部３１１ｂとが当接し、弁体側案内部３１１は、この当接箇所からＹ１方向への外力を受け、当該外力によって弁体３００と共にＹ１方向へ移動するようになっている。なお、突出部３０１ａの下面Ｆと弁体側案内部３１１の第１壁部３１１ｂとが当接している場合、弁体側案内部３１１の第２壁部３１１ａは突出部３０１ａの上面Ｇから離れている。
【０１０９】
これに対し、弁体３００がＹ２方向へ移動している場合、突出部３０１ａの上面Ｇと弁体側案内部３１１の第２壁部３１１ａとが当接し、弁体側案内部３１１は、この当接箇所からＹ２方向への外力を受け、当該外力によって弁体３００と共にＹ２方向へ移動するようになっている。なお、突出部３０１ａの上面Ｇと弁体側案内部３１１の第２壁部３１１ａとが当接している場合、弁体側案内部３１１の第１壁部３１１ｂと突出部３０１ａの下面Ｆから離れている。
【０１１０】
このような構成であっても、前述した実施の形態の弁体側案内部１１１と同様、弁体側案内部３１１は、弁体３００から受ける引張力によって弁体３００と共に移動するようになっている（引き勝手になっている）。
【０１１１】
なお、図１０に示す第８変形例において、弁体側案内部３１１を弁体３００に固定させても引き勝手を実現できる。但し、この場合、突出部３０１ａの上面Ｇに弁体側案内部３１１の第２壁部３１１ａを固着させ、且つ、突出部３０１ａの下面Ｆに弁体側案内部３１１の第１壁部３１１ｂを固着させることになる。
【０１１２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１３】
本発明の仕切弁は、上水道、下水道、農業用水道、工業用水道等に好適に利用できる。
【符号の説明】
【０１１４】
１１      弁体側案内部
１２ａ    第２係合面（第２受部）
１３ａ    第１係合面（第１受部）
２１      弁体側案内部
２１ａ    第２斜面（第２受部）
２１ｂ    第１斜面（第１受部）
３１      弁体側案内部
３２ａ    第３係合面（第２受部）
３２ｂ    第４係合面（第１受部）
１００    仕切弁
１０１    弁箱
１０４    弁体
１０４ａ  芯金
１１１    弁体側案内部
１１１ｂ  凸部
１１１ｃ  凸部
１１１ｄ  凸部
１１２    弁箱側案内部
１２０    嵌込溝
３００    弁体
３０１    芯金
３０１ａ  突出部
３１１    弁体側案内部
３１１ａ  第２壁部（第２受部）
３１１ｂ  第１壁部（第１受部）
３２０    弁箱
３２１    弁箱側案内部
ａ    上面（第１受部）
ｂ    下面（第２受部）
ｃ    下面（第２受部）
【図１】
2014111972.tif 000003
【図２】
2014111972.tif 000004
【図３】
2014111972.tif 000005
【図４】
2014111972.tif 000006
【図５】
2014111972.tif 000007
【図６】
2014111972.tif 000008
【図７】
2014111972.tif 000009
【図８】
2014111972.tif 000010
【図９】
2014111972.tif 000011
【図１０】
2014111972.tif 000012
【図１１】
2014111972.tif 000013
【図１２】
2014111972.tif 000014